(57)【要約】      （修正有）【課題】年々老齢社会を迎え、それに伴い入れ歯人口も増加傾向にある。そんな中、老人介護施設や介護士が不足し、自宅での介護を余儀なくされるお年寄りや体の不自由な人も増加し、施設や自宅での介助者の老人介護負担も増えるばかりである。一方、お年寄りは唯一の楽しみを食事としているためか、長年の生活習慣も相まって歯磨き意識は衰えていないのが現状である。この発明は、そのようなお年寄りや介助者たちに、少しでも援助できないかと考え、容易に歯磨きができるように工夫された入れ歯洗浄歯ブラシを備えた入れ歯収納箱をここに提供する。【解決手段】入れ歯の入るふた付のプラスチック円柱容器に歯ブラシのブラシを内側上下左右に張り巡らせ、ふたの外側上部の左右のどちらか一方に取っ手を付ける。その取っ手を持ち回転を加えることにより、容器の中のブラシと入れ歯が摩擦し、歯を磨くことができる洗浄器である。【選択図】図４
2009119212.tif 000002
【特許請求の範囲】
【請求項１】
プラスチック製円柱容器の中の本体底面及びふたの裏側全体にブラシを設ける。入れ歯の入った容器のふたを回転させることにより、ブラシと入れ歯が摩擦し、入れ歯磨きが容易にできる。
【請求項２】
請求項１のふたの中、内側側面にブラシを設け、歯と歯茎の前面周囲を磨く。特に円周６分の１程度に固めのブラシを設けることにより、回転する際、入れ歯を左右に押すため、入れ歯が自由運動を起こし、本体下部のブラシで歯茎裏側の底面を磨くことができる。
【請求項３】
請求項１のふたの上部外側片方に取っ手を設けることで、体の不自由な人や、お年寄りにもふたが簡単に回せる。
【請求項４】
請求項１の容器の中でブラシ及び入れ歯から生じる圧力により、ふたが持ち上がらないように、ふた側及び本体側結合部円周に凹凸を設ける。（スプレー缶のふたの原理）
【請求項５】
請求項１から請求項４までを特許請求範囲の主とする容器を上段とし、下段に入れ歯１個分が収納できる容器が設けてあり、この容器に洗浄剤を入れることにより、上あご用と下あご用の入れ歯を一度に洗浄剤に浸すことができる。洗浄後は、水分を切り入れ歯を収納したり、洗浄薬や部分入れ歯の保管箱とするほか、小物入れとしても活用できる。又、下段に保管箱を設けることで上段上部のふたを回す際、下段部分を保持できる。
【請求項６】
請求項５の下段部分（保管箱）と上段部分（特許請求範囲の主）との結合部分は上段部分の底にネジ部を設けることで水漏れもしない保管箱が確保できる。
【発明の詳細な説明】
【技術分野】
【０００１】  本発明は、お年寄りや体の不自由な人が容易に、入れ歯磨きが出来るよう工夫したものである。
【背景技術】
【０００２】  老人介護施設等のお年寄りは、食事後、車いすで洗面所に行き、入れ歯掃除をしている状況にある。普通の歯ブラシでお年寄りや体の不自由な人が入れ歯を万弁に磨くのは、非常に難しく時間がかかる大仕事である。また、介護士の支援も人手不足で満足行く介助ができない現状にある。
【発明の開示】
【発明が解決しようとする課題】
【０００３】  入れ歯を使用しているお年寄り等は、今日まで普通の歯磨きブラシに歯磨き粉をつけて洗浄する上に、より清潔にするため、各人でそれぞれの市販の容器に入れ歯を入れ、洗浄剤等に数時間浸し、その後、歯ブラシで水洗いしている現状にある。しかし、老齢な人や体等に傷害を持つ人はもとより、元気なお年寄りにとっても、毎食後の入れ歯掃除は大変である。
本発明は、以上の問題点を解決するため、お年寄りに短時間で簡単に、入れ歯掃除ができるように工夫したものである。
【課題を解決するための手段】
【０００４】  本体容器のふたを開け、本体底面のブラシの上に歯を上にし入れ歯を乗せ、ふたを閉める。入れ歯を固定しないため、ふたを回転させると固めのブラシの圧力で入れ歯が動き、歯茎の底辺部分を磨くことができる。
【発明の効果】
【０００５】  本発明を使用することでお年寄りの入れ歯磨きの動作が簡単になり、時間及び負担が極端に軽減される。
【発明を実施するための最良の形態】
【０００６】  以下、本発明の実施の形態を説明する。
（ア）特許請求範囲の主とする上段容器に側面用硬質ブラシ（６）、上部ブラシ（７）、側面用軟質ブラシ（８）、本体底面ブラシ（９）のそれぞれの毛の質、長さ及び毛の密集性を考慮したブラシを設ける。
（イ）市販の容器のふたは、本体容器を外側から包むように設けてあるが、本容器のふた部（４）は、入れ歯の周囲をブラシが回転するように考慮したため、ふた部を本体部の内側に入るように設ける。
（ウ）歯磨きの見栄えを一番必要とする歯と歯茎の前面に硬質と軟質のブラシをふた部側面（６）（８）に設け、ふたの回転で洗浄させる。また、歯茎の底面磨きのため入れ歯全体を動かす工夫として、特に側面硬質ブラシ（６）を設ける。
（エ）入れ歯の歯茎底面の洗浄に本体底面ブラシ（９）を設ける。その際、ブラシの毛の質は、入れ歯が沈み込まない強度を要し、側面用硬質ブラシ（６）で押されて移動し歯茎の底面磨きができること。また反面、本体底面ブラシ（９）の上で入れ歯が、ふたの回転による上部軟質ブラシ（７）作用でふたと同時に動き、かんじんな歯の部分が磨かれないことがないよう適度な毛の質を設ける。歯と歯茎の表裏面と歯茎底面のふたの回転による洗浄割合は、５〜１０対１程度を要す。
（オ）体の不自由な人や、お年寄りにもふたが簡単に回せるようにふた部上部に取っ手を設ける。
（カ）上段（１）の容器の中でブラシ及び入れ歯から生じる圧力により、ふた部が持ち上がらないように、ふた側及び本体側に凹凸部（１０）を設ける。（スプレー缶のふたの原理）
（キ）下段（２）に入れ歯１個分が入る容器を設けることにより、ふたを回転させる際、の部分を保持できる。また、上段（１）、下段（２）の容器に洗浄剤をそれぞれ入れ、総入れ歯２個同時に洗浄が可能、その他、収納箱として利用できる。
（ク）上段（１）と下段（２）との結合部分は、上段部分の底に上段ネジ部（１１）を設けることで水漏れしない収納箱ができる。
本発明は以上の構成よりなる。
【図面の簡単な説明】
【０００７】
【図１】本発明の容器全体表面図
【図２】本発明の容器全体断面図
【図３】特許請求範囲の主となる上段断面図（想定）
【図４】特許請求範囲の主となる上段斜視図
【符号の説明】
【０００８】（１）上段（特許請求範囲の主）、（２）下段（収納箱）、（３）取っ手、（４）ふた部、（５）本体、（６）側面用硬質ブラシ、（７）上部軟質ブラシ、（８）側面用軟質ブラシ、（９）底面弱硬質ブラシ、（１０）凹凸部、（１１）上段ネジ部、（１２）入れ歯（想定）
【図１】
2009119212.tif 000003
【図２】
2009119212.tif 000004
【図３】
2009119212.tif 000005
【図４】
2009119212.tif 000006
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
プラスチック製円柱容器の中の本体底面及び中容器の内側全体にブラシを設ける。中容器を回転させることにより、ブラシと入れ歯が摩擦し、入れ歯磨きが容易にできる。
【請求項２】
請求項１の中容器の内側全面にブラシを設けるほか、大きめの山型ブラシを１部に設けることにより、入れ歯の形状に合わせた歯と歯茎の周囲全体を磨くことができる。また、山型ブラシで入れ歯を左右に押すため、入れ歯が自由運動を起こし、本体下部のブラシで歯茎裏側の底面を磨くことができる。
【請求項３】
請求項２の本体下部のブラシのほか、入れ歯内側の空間にすっぽり入る三角形のブラシを設けることで、山型ブラシの圧力からくる左右へ大きく動く入れ歯を抑制できる上、入れ歯の内側磨きが可能となる。
【請求項４】
請求項１のふた及び中容器の上部外側にＬ型の取っ手を設けることで、体の不自由な人や、お年寄りにも中容器が簡単に回せる。
【請求項５】
請求項１から請求項４までを特許請求範囲の主とする容器を上段とし、下段に入れ歯１個分が収納できる容器を設ける。この容器に洗浄剤を入れることにより、上段、下段の容器に上あご用と下あご用の入れ歯を入れ、洗浄剤に浸すこともできる。洗浄後は、水分を切り入れ歯を収納したり、洗浄薬や部分入れ歯の保管箱とするほか、小物入れとしても活用できる。又、下段に保管箱を設けることで中容器を回す際、下段部分を保持できる。
【請求項６】
請求項５の下段部分（保管箱）と上段部分（特許請求範囲の主）との結合部分は上段部分の底にネジ部を設けることで水漏れもしない保管箱が確保できる。
【手続補正２】
【補正対象書類名】明細書
【補正対象項目名】全文
【補正方法】変更
【補正の内容】
【発明の詳細な説明】
【技術分野】
【０００１】  本発明は、お年寄りや体の不自由な人が容易に、入れ歯磨きが出来るよう工夫したものである。
【背景技術】
【０００２】  老人介護施設等のお年寄りは、食事後、車いすで洗面所に行き、入れ歯掃除をしている状況にある。普通の歯ブラシでお年寄りや体の不自由な人が入れ歯を万弁に磨くのは、非常に難しく時間がかかる大仕事である。また、介護士の支援も人手不足で満足行く介助ができない現状にある。
【発明の開示】
【発明が解決しようとする課題】
【０００３】  入れ歯を使用しているお年寄り等は、今日まで普通の歯磨きブラシに歯磨き粉をつけて洗浄する上に、より清潔にするため、各人でそれぞれの市販の容器に入れ歯を入れ、洗浄剤等に数時間浸し、その後、歯ブラシで水洗いしている現状にある。しかし、老齢な人や体等に傷害を持つ人はもとより、元気なお年寄りにとっても、毎食後の入れ歯掃除は大変である。
本発明は、以上の問題点を解決するため、お年寄りに短時間で簡単に、入れ歯掃除ができるように工夫したものである。
【課題を解決するための手段】
【０００４】  本体容器のふたと連結した中容器を開け、本体底面の三角形ブラシを包むようにし入れ歯の歯の部分を上にして入れ歯を乗せ、ふたを閉める。Ｌ型取っ手を回すことにより、中容器が回転し中容器のブラシが入れ歯上部及び側面を磨く。また、本体底の三角ブラシと底ブラシにより、入れ歯の内側及び歯茎の底辺部分が磨かれる。
三角ブラシの作用は、中容器回転により山型のブラシの圧力で入れ歯が回転したり左右に大きく動かないように考慮した。反面、山型ブラシの圧力を利用し、入れ歯の内側及び歯茎の底辺部分が磨かれるよう”微移動”するよう考案した。
【発明の効果】
【０００５】  本発明を使用することでお年寄りの入れ歯磨きの動作が簡単になり、時間及び負担が極端に軽減される。
【発明を実施するための最良の形態】
【０００６】以下、本発明の実施の形態を説明する。
（ア）特許請求範囲の主とする中容器に側面用山切りブラシ（６）、側面ブラシ（７）、上部ブラシ（９）、本体に三角形ブラシ（８）、底面ブラシ（１０）を設ける。
（イ）特許の要、中容器の回転により、中容器側面及び内側上部に山切りブラシ（６）及び上部ブラシを（７）を設け、その中容器の回転で歯磨きを可能にする。また、回転による山切りブラシの圧力で入れ歯が左右へ動くよう考慮する。
（ウ）本体底面に三角形ブラシ（８）及び底面ブラシ（１０）を設け、側面用山切りブラシ（６）の圧力で入れ歯が左右へ移動し、入れ歯の内側及び歯茎の底面磨きが可能となる。
（エ）体の不自由な人や、お年寄りにも中容器が簡単に回せるようにふた部及び中容器の上部にＬ型取っ手（１０）を設ける。
（オ）下段（２）に入れ歯１個分が入る容器を設けることにより、中容器を回転させる際、下段の部分を保持できる。また、上段（１）、下段（２）の容器に洗浄剤をそれぞれ入れ、総入れ歯２個同時に洗浄が可能、その他、収納箱として利用できる。
（カ）上段（１）と下段（２）との結合部分は、上段部分の底に上段ネジ部（１１）を設けることで水漏れしない収納箱ができる。
本発明は以上の構成よりなる。
【図面の簡単な説明】
【０００７】
【図１】本発明の容器全体表面図
【図２】本発明の容器全体断面図
【図３】特許請求範囲の主となる上段断面図（入れ歯想定）
【図４】特許請求範囲の主となる中容器側面を下から斜視図
【図５】特許請求範囲の主となる本体底面を真上より直視図
【図６】特許請求範囲の主となる本体底面の断面図
【符号の説明】
【０００８】（１）上段（特許請求範囲の主）、（２）ふた部、（３）Ｌ型取っ手、（４）中容器、（５）本体、（６）側面用山切りブラシ、（７）側面ブラシ、（８）三角形ブラシ、（９）上部ブラシ、（１０）底面ブラシ（１１）ネジ部１、（１２）ネジ部２、（１３）入れ歯（想定）、（１４）下段（収納箱）
【手続補正４】
【補正対象書類名】図面
【補正対象項目名】全図
【補正方法】変更
【補正の内容】
【図１】
2009119212.tif 000007
【図２】
2009119212.tif 000008
【図３】
2009119212.tif 000009
【図４】
2009119212.tif 000010
【図５】
2009119212.tif 000011
【図６】
2009119212.tif 000012